(57)【要約】      （修正有）【課題】簡易な構成で、高品質な防水性を確保し得るようにして、組立作業を含む取扱い作業性の向上を図り得るようにする。【解決手段】機器筐体１０の開口１０１のパッキン載置部１０２に、弾性係止部１２１の設けられたパッキン部材１２を載置すると共に、係止孔１３１及び機器筐体１０の開口１０１より突出した端部を有したパッキン取付け具１３を設け、パッキン部材１２の弾性係止部１２１をパッキン取付け具１３の係止孔１３１に弾性係止させて位置決めして、蓋体１１が機器筐体１０の開口１０１に被されると、該蓋体１１がパッキン取付け具１３により位置規制された状態で、パッキン部材１２に圧接されて機器筐体１０の開口１０１に被着されるように構成した。【選択図】図１
2008192750.tif 000002
【特許請求の範囲】
【請求項１】
開口に沿ってパッキン載置部が設けられた装置筐体と、
前記パッキン載置部に載置される外周部に複数の弾性係止爪が所定の間隔に設けられたリング状の防水パッキン部材と、
前記装置筐体の開口を閉塞するものであって、前記装置筐体のパッキン載置部に載置された防水パッキン部材に圧接される蓋体と、
前記装置筐体のパッキン載置部の周囲に設けられるものであって、前記パッキン載置部に載置された防水パッキン部材の弾性係止爪が係止されて該防水パッキン部材を位置決めする複数の係止部、及び前記蓋体の内壁に当接される位置規制部が設けられたパッキン取付け具と、
前記蓋体が、その内壁が前記パッキン取付け具の位置規制部に当接されると共に、前記防水パッキン部材に当接されて、前記機器筐体の開口に被された状態で、前記位置規制部に固定する固定手段と、
を具備することを特徴とする屋外装置の筐体構造。
【請求項２】
前記固定手段は、前記蓋体に前記装置筐体の開口を囲んで複数の取付け孔を設け、且つ、前記パッキン取付け具の位置規制部に複数の螺子孔を前記蓋体の複数の取付け孔に対向して設け、螺子部材を前記取付け孔を通して前記螺子孔に螺合させて前記蓋体を固定することを特徴とする請求項１記載の屋外装置の筐体構造。
【請求項３】
前記防水パッキン部材は、ゴム材であることを特徴とする請求項１又は２記載の屋外装置の筐体構造。
【請求項４】
前記パッキン載置部は、前記装置筐体の開口内に設けられることを特徴とする請求項１乃至３のいずれか記載の屋外装置の筐体構造。
【発明の詳細な説明】
【技術分野】
【０００１】
この発明は、例えば屋外基地局を構成する通信機器等の屋外装置に係り、特に、その筐体構造に関する。
【背景技術】
【０００２】
一般に、屋外基地局を構成する通信機器等の屋外装置は、装置筐体に内部機器を構成する電子ユニットが収容され、この装置筐体の開口には、蓋体が被着されて電子ユニットが密閉収容される。このようにして、蓋体が被着されて防水構造に形成された装置筐体は、建物の外部等に直接的に設置され、通信等の所望の使用に供される。
【０００３】
そのため、このような屋外装置においては、その装置筐体の開口に蓋体が開閉自在に組付けられ、この装置筐体と蓋体との間に防水パッキン部材が介在されて密閉構造に形成されることにより、風雨にさらされる屋外での使用が可能に構成されている。
【０００４】
この屋外装置の筐体構造としては、例えば防水パッキンがずれたり、外れたりしないように、蓋体の内壁部に装置筐体の開口の周縁部に対向して熱溶着等の手法により取付けて、蓋体を閉じて装置筐体の開口を閉塞すると、蓋体が防水パッキンを介在して装置筐体の開口の周縁部に圧接されることにより、開口から雨や塵等の侵入を防止する構成のものが提案されている（例えば、特許文献１参照。）。そして、この装置筐体上に閉じられた蓋体を反転すると、装置筐体は、その開口が開放され、収容配置した電子ユニットの保守点検等が可能となる。
【特許文献１】特開２００２−１３４９４８号公報
【発明の開示】
【発明が解決しようとする課題】
【０００５】
しかしながら、上記屋外装置の筐体構造では、蓋体を閉じて装置筐体に固定した状態で、高品質な防水機能を確保するために、防水パッキンの潰れ量を一定に保つためのスペーサ手段を備えなければならないことで、構成が複雑となり、その組立作業を含む取扱い作業が面倒であるという問題を有する。
【０００６】
この発明は、上記の事情に鑑みてなされたもので、簡易な構成で、高品質な防水性を確保し得るようにして、取扱い作業性の向上を図り得るようにした屋外装置の筐体構造を提供することを目的とする。
【課題を解決するための手段】
【０００７】
この発明は、開口に沿ってパッキン載置部が設けられた装置筐体と、前記パッキン載置部に載置される外周部に複数の弾性係止爪が所定の間隔に設けられたリング状の防水パッキン部材と、前記装置筐体の開口を閉塞するものであって、前記装置筐体のパッキン載置部に載置された防水パッキン部材に圧接される蓋体と、前記装置筐体のパッキン載置部の周囲に設けられるものであって、前記パッキン載置部に載置された防水パッキン部材の弾性係止爪が係止されて該防水パッキン部材を位置決めする複数の係止部、及び前記蓋体の内壁に当接される位置規制部が設けられたパッキン取付け具と、前記蓋体が、その内壁が前記パッキン取付け具の位置規制部に当接されると共に、前記防水パッキン部材に当接されて、前記機器筐体の開口に被された状態で、前記位置規制部に固定する固定手段とを備えて屋外装置の筐体構造を構成した。
【０００８】
上記構成によれば、防水パッキン部材は、装置筐体のパッキン載置部に載置されて、その弾性係止爪を、装置筐体のパッキン載置部の周囲に取付けたパッキン取付け具の係止部に弾性力を利用して係止させることで、パッキン載置部上に位置決めされて組付けられる。そして、防水パッキン部材は、装置筐体の開口に蓋体が被されると、該蓋体の内壁が圧接されると共に、該蓋体の内壁がパッキン取付け具の位置規制部に当接されて閉塞位置で位置規制されることにより、蓋体が装置筐体の開口を閉塞する如く被着された状態において、その潰れ量が一定に保たれる。
【０００９】
従って、防水パッキン部材の交換作業を含む簡便にして容易な取扱い作業性を実現したうえで、優れた高品質な防水構造を実現することが可能となる。また、パッキン取付け具が防水パッキン部材の取付け機能と、蓋体の位置規制機能の二役を果たしていることにより、部品点数の削減が実現され、この点からも組立作業等の取扱い作業性の向上を図ることが可能となる。
【発明の効果】
【００１０】
以上述べたように、この発明によれば、簡易な構成で、高品質な防水性を確保し得るようにして、取扱い作業性の向上を図り得るようにした屋外装置の筐体構造を提供することができる。
【発明を実施するための最良の形態】
【００１１】
以下、この発明の実施の形態について、図面を参照して詳細に説明する。
【００１２】
図１は、この発明の一実施の形態に係る屋外装置の筐体構造を示すもので、装置筐体１０は、例えば金属材料で屋外設置可能な凹状をした密閉構造に形成され、図示しない電子機器が収容される。そして、この機器筐体１０の開口１０１には、蓋体１１が後述するように被着される（図２参照）。
【００１３】
機器筐体１０には、その開口１０１の先端部に内に折曲させたパッキン載置部１０２が設けられる（図３参照）。このパッキン載置部１０２には、防水パッキン部材を構成するゴム等の弾性材で形成された、例えば枠状のパッキン部材１２が載置される。このパッキン部材１２は、例えば断面湾曲状に形成され、その側壁に例えば矢尻形状の複数の弾性係止部１２１が所定の間隔を有して突出して形成される。
【００１４】
また、上記機器筐体１０には、その開口１０１の外周壁に沿って例えば枠状をしたフランジ形状のパッキン取付け具１３の一端が、例えば螺子部材等を用いて、他端が上記パッキン載置部１０２の載置面よりＨの高さ寸法を有して突出されて取付けられる（図３参照）。ここで、パッキン取付け具１３は、その他端が、上記パッキン載置部１０２よりＨ寸法だけ突出されて蓋位置規制部として機能して、上記蓋体１１が機器筐体１０の開口１０１に被されると、該蓋体１１の内壁の一部が当接されて被着位置（当接位置）に位置決めする如く規制する。そして、このパッキン取付け具１３の他端には、固定手段を構成する例えば複数の螺子孔１３２が所定の間隔に設けられる。
【００１５】
さらに、パッキン取付け具１３には、その一端に係止部、例えば係止孔１３１が、上記パッキン部材１２の弾性係止部１２１に対応して所定の間隔に設けられる。この係止孔１３１には、上記機器筐体１０のパッキン載置部１０２に載置されてパッキン部材１２の弾性係止部１２１が、その弾性力を利用して選択的に着脱され、その着状態で、該パッキン部材１２をパッキン載置部１０２上に位置決めする。
【００１６】
上記蓋体１１には、複数の挿通孔１１１が上記パッキン取付け具１３の螺子孔１３２に対応して設けられる。これにより、蓋体１１は、その挿通孔１１１がパッキン取付け具１３の螺子孔１３２に対向されて、その内壁が上記パッキン取付け具１３の他端側に当接された状態で、機器筐体１０の開口１０１に被される。
【００１７】
そして、この蓋体１１は、その挿通孔１１１に対してワッシャ１５を介在させて螺子部材１４が挿通されて、その先端部がパッキン取付け具１３の螺子孔１３２に螺着されることで、機器筐体１０の開口１０１を閉塞するように被着される。ここで、蓋体１１は、その内壁がパッキン載置部１０２のパッキン部材１２に対して所望の圧力で圧接されて、該パッキン部材１２の潰し量が均一に保たれる。
【００１８】
上記構成において、機器筐体１０に蓋体１１を被着する場合には、先ず、機器筐体１０のパッキン載置部１０２にパッキン部材１２を載置して、その弾性係止部１２１を、機器筐体１０の開口１０１に配したパッキン取付け具１３の係止孔１３１に弾性を利用して係止させる。ここで、パッキン部材１２は、機器筐体１０のパッキン載置部１０２に位置決めされて機器筐体１０の開口１０１に取付けられる。
【００１９】
そして、機器筐体１０の開口１０１には、蓋体１１が、その挿通孔１１１をパッキン取付け具１３の螺子孔１３２に合致させて被されて、螺子部材１４を蓋体１１の挿通孔１１１に挿通させてパッキン取付け具１３の螺子孔１３２に螺着することにより、取付けられる。
【００２０】
ここで、蓋体１１は、上述したようにその内壁がパッキン取付け具１３の他端に当接されて被着位置に位置決めされた状態で、その内面側の周壁にパッキン載置部１０２上のパッキン部材１２の上部が当接される。これにより、パッキン部材１２は、所望の潰れ量を有してパッキン載置部１０２と蓋体１１の内壁との間に介在され、所望の防水特性が確保される。
【００２１】
このように、上記屋外装置の筐体構造は、機器筐体１０の開口１０１のパッキン載置部１０２に、弾性係止部１２１の設けられたパッキン部材１２を載置すると共に、係止孔１３１及び機器筐体１０の開口１０１より突出した端部を有したパッキン取付け具１３を設け、パッキン部材１２の弾性係止部１２１をパッキン取付け具１３の係止孔１３１に弾性係止させて位置決めし、蓋体１１が機器筐体１０の開口１０１に被されると、該蓋体１１がパッキン取付け具１３により位置規制された状態で、パッキン部材１２に圧接されて機器筐体１０の開口１０１に被着されるように構成した。
【００２２】
これによれば、パッキン部材１２の容易な着脱作業が実現され、しかも、蓋体１１を機器筐体１０の開口１０１に被せて螺子部材１４を用いてパッキン取付け具１３に螺着するだけで、パッキン部材１２の潰れ量を一定に保った高品質な防水構造が実現されることにより、組立作業を含む簡便にして容易な取扱い作業を実現したうえで、優れた高品質な防水構造を実現することが可能となる。
【００２３】
また、これによれば、パッキン取付け具１３がパッキン部材１２の取付け機能と、蓋体１１の位置規制機能の二役を果たしていることにより、パッキンン部材１２の潰れ量を一定に保つためのスペーサ構成を、従来のように別途、設けることが不要となることで、部品点数の削減が実現されるため、この点からも組立作業等の取扱い作業性の向上を図ることが可能となる。
【００２４】
なお、上記実施の形態では、蓋体１１を、螺子部材１４を用いて機器筐体１０のパッキン取付け具１３に螺着して取付けるように構成した場合について説明したが、この構成に限ることなく、その他の構成も可能である。
【００２５】
また、上記実施の形態では、パッキン部材１２を機器筐体１０の開口１０１の内壁に沿って配置するように構成した場合について説明したが、これに限ることなく、例えば機器筐体の開口の外周壁に配置するように構成することも可能である。
【００２６】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２７】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２８】
【図１】この発明の一実施の形態に係る屋外装置の筐体構造の蓋体の一部を破断して示した図である。
【図２】図１の一部を断面して示した図である。
【図３】図２の要部を拡大して示した図である。
【符号の説明】
【００２９】
１０…機器筐体、１０１…開口、１０２…パッキン載置部、１１…蓋体、１１１…挿通孔、１２…パッキン部材、１２１…弾性係止部、１３…パッキン取付け具、１３１…係止孔、１３２…螺子孔、１４…螺子部材、１５…ワッシャ。
【図１】
2008192750.tif 000003
【図２】
2008192750.tif 000004
【図３】
2008192750.tif 000005